(57)【特許請求の範囲】
【請求項１】
その一端に略卵型開口を有する容器であって、該開口が長軸、短軸及び外周縁リムを有し、該外周縁リムが複数の蓋係合部を有する容器と、
上壁及び上壁から垂下するスカートを有する蓋であって、該スカートが実質的に長方形の断面の内面を有し、前記スカートが蓋の内面を有し、前記スカートが複数のリム係合部材を含む蓋と、を備え、
前記外周縁リムがその長軸及び短軸で蓋係合部を含み、前記第１の複数のリム係合部材が外周縁リムに平行な長手軸を有し、
前記蓋係合部が互いに係合した状態で蓋が容器の開口に関して閉位置にあるとき、前記複数の蓋係合部と複数のリム係合部材とが係合関係にあり、蓋が容器の垂直軸に関して４５度より小さい角度で捩られるだけで、複数の蓋係合部と複数のリム係合部材とが非係合関係になって、容器の蓋があけられることを特徴とする容器密閉システム。
【請求項２】
前記リム係合部材が蓋の内面に４つのリッジを備え、容器が密閉されたときに、該リッジが開口の長軸及び短軸に対向配置されていることを特徴とする、請求項１記載の容器密閉システム。
【請求項３】
前記リム係合部材が蓋の内面に４つの溝を備え、該溝が蓋の開口の長軸及び短軸に対向配置され、容器が密閉されたときに、前記溝が開口の長軸及び短軸で外周縁リムの部分と係合するように配置されていることを特徴とする、請求項１記載の容器密閉システム。
【請求項４】
前記蓋係合部は、開口の外周縁リムの長軸及び短軸に配置された４つのリブを備えることを特徴とする、請求項１記載の容器密閉システム。
【請求項５】
その一端に略卵型開口を有する容器であって、該開口が長軸、短軸及び外周縁リムを有する容器と、
上壁及び上壁から垂下するスカートを有する蓋であって、該スカートが実質的に長方形の断面の内面を有し、前記スカートが蓋の内面を画定し、前記内面が４つの分離されたリッジを有する蓋とを備え、
前記外周縁リムがその長軸及び短軸で蓋係合部を含み、前記リッジが外周縁リムに平行な長手軸を有し、
蓋が容器の開口に関して閉位置にあるとき、外周縁リム及びリッジが係合関係にあり、蓋が容器の垂直軸に関して４５度より小さく捩られるだけで、前記外周縁リム及びリッジが非係合関係になって、容器の蓋があけられることを特徴とする容器密閉システム。
【請求項６】
前記外周縁リムが、開口の対向軸において外周縁リム上に配置されたリブを含み、リブが外周縁リムに平行な長手軸を有することを特徴とする、請求項５記載の容器密閉システム。
【請求項７】
前記蓋が閉位置にあるときに、前記リッジが蓋係合部より下に位置決めされていることを特徴とする、請求項５記載の容器密閉システム。
【請求項８】
前記リッジが同一平面上にあり、蓋係合部が同一平面上にあることを特徴とする、請求項７記載の容器密閉システム。
【請求項９】
前記蓋係合部が外周縁リム上に配置された複数のリブを備えることを特徴とする、請求項７記載の容器密閉システム。
【請求項１０】
前記リッジが、複数のリッジが配置された内面部の長さのおおよそ１／６〜１／１０の長さであり、前記蓋係合部がリッジの各長さの長辺に大略等しい長さであることを特徴とする、請求項５記載の容器密閉システム。
【請求項１１】
前記リッジが、内面の各部分のおおよそ中央に配置され、各内面部が蓋の内面を形成するために結合していることを特徴とする、請求項５記載の容器密閉システム。
【請求項１２】
前記容器及び蓋が、基本的に熱可塑性樹脂からなることを特徴とする、請求項５記載の容器密閉システム。
【請求項１３】
前記蓋が、蓋及び容器の縦軸に関して捩られていることを特徴とする、請求項５記載の容器密閉システム。
【請求項１４】
前記容器が、主ボディ部と、主ボディ部の上端に取付けられたネック部とを備え、該ネック部が終端して外周縁リムを形成することを特徴とする、請求項５記載の容器密閉システム。
【請求項１５】
主ボディ部にネック部を接続する傾斜面をさらに備えることを特徴とする、請求項１４記載の容器密閉システム。
【請求項１６】
前記蓋を開位置まで捩る際に、容器主ボディから離れる方向に蓋を動かす傾斜面にスカートのエッジが接触していることを特徴とする、請求項１５記載の容器密閉システム。
【請求項１７】
前記主ボディが、実質的に長方形の断面を水平面に有し、ネック部が実質的に卵型の断面を水平面に有することを特徴とする、請求項１６記載の容器密閉システム。
【請求項１８】
容器の蓋をあけるために、前記蓋が、容器に関して５〜２０度より大きくない角度で捩られていることを特徴とする、請求項５記載の容器密閉システム。
【発明の詳細な説明】
【０００１】
発明の分野
本発明は、容器の蓋を簡単に密封したり除去したりすることのできる単純な構造を有する容器密閉システムに関する。より詳細には、本発明は、容器の頂部にある開口に関して密閉位置に蓋が押込められるか又はパタンと閉められるネック部を有する容器の密閉メカニズムに関する。容器及び蓋のこれらのタイプは、多くの製品を蓄えるために使用されており、非常に様々な市販の医薬品の包装に特に普及している。
【０００２】
背景
いくつかのタイプの押込められるかパタンと閉められる容器密閉は、製品の包装のために現在使用されている。これらの容器密閉の共通した特徴は、蓋及び容器のネックが、容器の頂部にある開口に関して蓋が押込められるか又はパタンと閉められるカム、リブ又はネジ山に係合しているということである。
【０００３】
これらのタイプの容器密閉における蓋は、様々な方法で除去される。この構造の蓋の除去するための共通の方法は、容器の係合リムの背後から溝付き蓋を押したり引いたりすることである。この蓋構造及び除去手段は、アスピリン瓶の容器密閉の構造に共通して採用されている。蓋を除去するための別の手段は、蓋の形状をわずかに変形させて蓋の上にあるリブ又はカムが容器にあるそれらから外れて容器の蓋をあけるために蓋の側面にある押し体を含む。蓋を除去するために共通して採用された他の手段は、係合したリブ又はネジ山を解除するために容器に関して垂直な軸を中心に蓋をねじることを含む。一般に、これらのネジ切りシステムでは、容器にあるそれらから蓋のネジ山又はリブを非係合にするために捩る間に使用者が蓋を押し下げることを必要とする。捩り動作の間に蓋を押し下げることを必要としないシステムにおいて、容器ネックの形状は、容器の蓋をあけるために係合したカム、リブ又はネジ山を非係合にする前に比較的大きな捩り力を加えることをしばしば必要とする。
【０００４】
容器から蓋を取除くためのこれらの手段は、それぞれ、蓋又は容器にあるカム、リブ又はネジ山の係合関係に打ち勝つためにあるいは結合された押して捩るタイプの除去システムのように２重の力を加えるために、使用者が比較的大きな力を加えることを必要とする。その結果、そのような容器密閉は、関節炎を患っているような、手に力の入らない人々に困難をもたらす。
【０００５】
したがって、本発明の目的は、従来の容器密閉よりも簡単に開くスナップ方式の容器密閉を提供することである。本発明に係る容器密閉は、使用方法及び構造が単純であり、上述したように、特に関節炎等を患っている人々にとって開けるのが複雑で困難な現在の容器密閉システムの不都合な特徴の幾つかを軽減する。
【０００６】
本発明の他の目的は、製造が簡単で単純な構造である一方で上述した目標を達成する容器密閉を提供することである。
【０００７】
本発明のさらなる目的及び利点は、以下の詳細な説明に示され、詳細な説明からある程度明らかになり、本発明のプラクティスによって分かるであろう。本発明の目的及び利点は、添付した特許請求の範囲で特に示された要素及び組合せによって、実現され且つ達成される。
【０００８】
発明の要約
本発明の目的及び利点は、以下の詳細な説明に示され、詳細な説明から明らかになり、本発明のプラクティスによって分かるであろう。本発明の目的及び利点は、添付した特許請求の範囲で特別に示された要素及び組合せによって、実現され且つ達成される。
【０００９】
本発明の利点及び目的を達成するために、本願で具体的且つ広く記載されているように、本発明は、容器密閉システムである。そのような容器は、略卵型の開口を一端に有しており、該開口は、長軸、短軸及び外周リムを有する。蓋は、上壁と、上壁から垂下したスカートとを有する。そのスカートは、実質的に長方形の断面形状をした内面を有し、且つ、蓋の内側面を画定する。内側面は、複数のリム係合部材を含む。外周リムは、リムの長軸及び短軸に蓋係合部を有する。リム係合部材は、リムに対して平行な長手軸を有している。蓋が容器の開口に関して閉位置にあるとき、リム及び複数のリム係合部材が係合関係にある。そして、容器の蓋をあけるために、蓋が容器の垂直軸に関して４５度より小さい角度で捩られるだけで、リム及び複数のリム係合部材が非係合関係にある。
【００１０】
前記の一般的な記載及び以下の詳細な説明の両方は、典型的なものであり且つ解説的なものであり、請求項に記載された発明を限定するものではないことは理解されるであろう。
【００１１】
好ましい実施形態の詳細な説明
本発明の好ましい実施形態に関して詳細に示されており、その実施例が図１〜６に示されている。可能な限り、同じ又は類似の部分について、同じ参照番号が図面を通じて使用される。
【００１２】
本発明によれば、容器密閉システムが図１〜６に示されている。示された実施形態において、容器密閉システム１は、蓋２及び容器３という２つの主たる構成要素を備えている。
【００１３】
本発明によれば、容器密閉システムの蓋は、上壁と、密閉システムの容器と係合する上壁から垂下するスカートとを有する。図示した実施形態において、蓋２は、上壁１５と、上壁１５から垂下するスカート４とを有する。蓋２のスカート４は、実質的に長方形の端部１１にあるその下端で終端する。図３及び５に明示されているように、スカート４は内面５を有する。内面５は蓋２の内側面を画定する。水平面において、スカートの内面５は、実質的に長方形の断面である。内面５は、４つの内面部５ａ〜５ｄを備えることができる。各内面部は、断面で示されるときに、実質的に長方形の底辺を形成する。本発明の好ましい実施形態において、長方形の長い底辺を形成する内面部、例えば内面部５ａ及び５ｃは、各中心に向かってわずかに内側に曲がっている。図５及び６は、内面部の変更点を除いて、蓋２と実質的に似た蓋２０を示している。
【００１４】
本発明によれば、第１の複数のリム係合部材は、容器上の場所に蓋を固定するために蓋の内面上に設けられている。本発明の一つの実施形態によれば、図３及び４に示すように、複数の相対的に小さなリッジ６ａ〜６ｄは、蓋２の内面に配置されている。図４に明瞭に示されているように、リッジ６ａ〜６ｄが、各内面部５ａ〜５ｄからわずかに突出している。その上には、リッジがスカート４によって囲まれた中央部に向かって配置されている。本発明の好ましい形において、４つのリッジがあり、４つの各リッジは、スカート４の各内面部５ａ〜５ｄの中心の実質的に近くに配置されている。リッジ６ａ〜６ｄは、略同一面上にあり、且つ、実質的に水平な面の内面５に沿って配置されている。好ましくは、各リッジ６ａ〜６ｄが、配置されている内面部の長さのおおよそ１/６〜１/１０の長さである。好ましくは、長い方の内面部５ａ及び５ｃ上に配置されたリッジ６ａ〜６ｄは、短い方の内面部５ｂおよび５ｄ上に配置されたリッジより長い。図３及び４に示した発明の実施形態において、対向する内面部上に配置されたリッジ６ａ〜６ｄ、例えばリッジ６ａ〜６ｄ、及び、内面部５ａ及び５ｃは、長さが等しく、容易に蓋２を製造することができる。
【００１５】
図５及び６は、本発明に係る蓋２０の第２の実施形態を示している。既に述べたように、蓋２０は、スカート４、蓋２に関して述べたように、上壁１５及び終端エッジ１１に関して同じ一般的な特徴を有している。蓋２０の内面を形成する内面２７は、その上に形成されたリム係合部材の形成を除いては、蓋２の内面５と実質的に同じである。すなわち、蓋２０は相対的に小さな溝２６ａ〜２６ｄの形でリム係合部材を含む。図６に最もよく表れているように、溝２６ａ〜２６ｄは、内面部２７ａ〜２７ｄの上の各位置にわずかなくぼみを生成する。リッジ６ａ〜６ｄと同様に、好ましくは、４つの溝２６ａ〜２６ｄは、内面部２７ａ〜２７ｄの各中心の実質的に近くに配置され、且つ大略同じ実質的に水平な面に配置されている。好ましくは、リッジ６ａ〜６ｄに関して上述したように、各溝２６ａ〜２６ｄは、互いにそれぞれに対して及び配置される内面部に対して、同じ長さである。
【００１６】
本発明によれば、容器密閉システムは、容器の一端に略卵型の開口を有する容器を含んでいる。開口は長軸、短軸及び容器密閉システムの蓋と係合するのに適した外周リムを有する。外周リムは、長軸及び短軸に蓋係合部を含む。図１及び２に示した実施形態に示すように、容器密閉システム１は、容器３によって保持された製品を必要量だけ出す略卵型の開口７を備える容器３を含む。略卵型の開口７は外周リム８で囲まれている。
【００１７】
図１に示された本願発明の第１の実施形態において、蓋係合部が、外周リム８の周りに延在する小さなリップ又はエッジ１６によって、外周リム８の上に形成されている。エッジ１６のこれらの部分が配置されており、蓋２が閉位置にあるとき蓋２の上にあるリッジ６ａ〜６ｄと係合する。
【００１８】
図２に示された第２の実施形態において、蓋係合部は、これらの蓋のいずれかが開口７に関して閉位置にあるとき、蓋２上のリッジ６ａ〜６ｄ又は蓋２０上の溝２６ａ〜２６ｄに対応し且つ係合する位置で、外周リム８の上に配置された複数の小リブ９を含む。特に、開口７及び外周リム８の対向軸にリブ９ａ〜９ｄを配置することが考えられている。好ましくは、リブ９は同じ長さであり、リッジ６ａ〜６ｄ又は溝２６ａ〜２６ｄの長さにおおよそ等しく、外周リム８に平行な長手軸を有する。
【００１９】
図１及び２に示された各実施形態の両方によれば、容器３は主容器ボディ１０とネック１２とを含む。ネック１２は、容器の上端部から延在し、卵型開口７を囲む外周リム８で終端する。傾斜面１３は主容器ボディ１０をネック１２の下端部に接続する。図１及び２に示した発明の形において、主容器ボディ１０は、交差の水平面において実質的に長方形断面を有する。傾斜面１３が延在する上端外周エッジ１４の寸法は、好ましくは、スカート４のエッジ１１に等しい。さらに、ネック１２は、交差の水平面で卵型断面を有する。
【００２０】
本発明によれば、蓋が容器の開口に関して閉位置にあるとき、容器のリム及び複数のリム係合部材は係合関係にある。蓋が容器の垂直軸に関して約４５度より小さい角度で捩られるときに、リム及びリム係合部材が非係合になって容器の蓋があく。
【００２１】
使用する際に、図１〜４に示された容器密閉システム１の実施形態は、以下のように機能する。スカート４の終端エッジ１１を主容器ボディ１０の上端外周エッジ１４に合わせて押し下げることによって、蓋２は、容器３の開口７に関して閉位置に固定される。その結果、パチンと締める又は押圧するリッジ６ａ〜６ｄは、リブ９ａ〜９ｄ又はエッジ１６のいずれかを通過する。この閉位置において、リッジ６ａ〜６ｄは、エッジ１６（図１に示す）又はリブ９ａ〜９ｄ（図２に示す）のいずれかと係合位置にある。リッジ６ａ〜６ｄが係合位置にある間、リッジ６ａ〜６ｄはそれぞれエッジ１６又はリブ９ａ〜９ｄのいずれかの下に配置されている。このように閉位置において、リッジ６ａ〜６ｄ及びエッジ１６又はリッジ６ａ〜６ｄ及びリブ９ａ〜９ｄは、容器３及び製品の合計重さに少なくとも等しい力に耐えることができる。好ましくは、リッジ６ａ〜６ｄ及びエッジ１６、又はリッジ６ａ〜６ｄ及びリブ９ａ〜９ｄが係合関係にあるとき、それらは、蓋２が容器３から容易に引き離されないように、容器３及び製品の合計重さより大きな力に耐えることができる。
【００２２】
その閉位置から、容器３に対して垂直軸を中心に蓋２を単に捩ることによって、蓋２が開位置まで操作される。好ましい実施形態において、容器３の蓋２をあけるために、蓋２は容器３に対して４５度より小さい角度で、好ましくは約５度〜２０度の角度で、捩られる必要がある。図１に示すように、リッジ６ａ〜６ｄは、エッジ１６に関して滑動し、蓋２の内面と外周縁８との間での相対的な幾何学的形状により、エッジ１６から非係合になる。特に、短い方の内面部５ｂ，５ｄの上に配置されたリッジと、エッジ１６との間での幾何学的形状は容易に非係合になることを助ける。容器３の蓋２があく。図２に示すように、蓋２を捩ることによって、リッジ６ａ〜６ｄがリブ９ａ〜９ｄに関して滑動する。その結果、リブ９ａ〜９ｄから非係合になり、容器３の閉位置から蓋２があけられて、それが除去される。
【００２３】
蓋２０の係合及び非係合は、通常、蓋２と同じように起こる。しかしながら、蓋２０は、図２に示した容器３の形で連結して使用するのに適している。蓋２に関して、容器３を固定的に閉じることは、スカート４の終端エッジ１１を主容器ボディ１０の上端外周エッジ１４に合わせて押し下げ、その結果、リブ９ａ〜９ｄを溝２６ａ〜２６ｄにパチンと締めるかまたは押圧することを実質的に要求する。この閉位置において、溝２６ａ〜２６ｄはリブ９ａ〜９ｄと係合位置にある。係合位置にある間、各内側部分２７ａ〜２７ｄの外表面がリブ９ａ〜９ｄを画定する外面と実質的に接触するように、溝２６ａ〜２６ｄは本質的にリブ９ａ〜９ｄを受け入れる。蓋２０、容器３及びその内容物が把持蓋２０によって持ち上げられる間、蓋２０をその閉位置に保持するために、閉位置において、溝２６及びリブ９は係合関係のままである。この係合関係にある間、溝２６とリブ９との間の接触は、容器３及び内容物の合計の重さに少なくとも等しい力に耐えることができる。好ましくは、溝２６及びリブ９が係合関係にあるとき、蓋２が容易に容器から引き離されないように、それらは容器３及び内容物の合計の重さより大きな力に耐えられるべきである。
【００２４】
蓋２と同様に、容器３に対して垂直軸を中心に蓋２０を単に捩ることによって、蓋２０はその閉位置から開位置まで操作される。好ましい実施形態において、容器３の蓋２０をあけるために、蓋２０は容器３に対して４５度より小さい角度で、好ましくは約５度〜２０度の角度で、捩られる必要がある。図２に示すように、互いに滑動する蓋２０、リブ９及び溝２６を捩り、容器の閉位置から蓋２０をあけるために互いに非係合にすることによって、それが除去される。
【００２５】
容器３から蓋２又は２０のいずれかを除去することを容易にすることは、卵型開口７と外周リム８との間での相対的な幾何形状であり、スカート４の実質的に長方形の断面形状である。外周リム８の長軸径は、蓋２（又は蓋２０）が垂直軸を中心に僅かに捩られたあと、卵型外周リムの外側部が、蓋２（又は蓋２０）がさらに捩れることを実質的に防ぐために、スカート４の内面部５ａ，５ｃ（又は２７ａ，２７ｃ）に長く接触する。外周リム８の外側部が内面部と接触するようになったあとに起こる蓋２が捩れることによって、スカート４がネック１２に沿ってずり上がり、容器３から蓋２（又は蓋２０）を持ち上げて離す。外周リム８及びスカート４の幾何学的形状は、蓋２（又は蓋２０）が４５度より小さな角度、好ましくは５〜２０度の角度で捩られる必要があるようにすべきである。リッジ６（又は溝２６ａ〜２６ｄ）がリム８上の蓋係合部から非係合になり、外周リム８の外側部を内面部５ａ，５ｃ（又は２７ａ，２７ｃ）に接触させる。
【００２６】
蓋２（又は蓋２０）の除去を容易にするという本発明の実施形態に係る特徴は、傾斜面１３である。蓋２（又は蓋２０）を捩る際に、蓋２（又は蓋２０）がその開位置に操作されるので、主容器ボディ１０の上端外周エッジ１４から離れる方向に、スカート４のエッジ１１がスムーズに持ち上がる傾向のある傾斜面１３に沿ってスカート４のエッジ１１が動く。
【００２７】
本発明の実施形態によれば、好ましくは、容器密閉システム１の様々な部品は、比較的低い摩擦係数を有する材料からできている。このことは、構造的な部品、例えば、リム係合部材及び蓋係合部の係合及び非係合、外周リム８及びネック１２に沿った内面５又は２７の乗り上げ、エッジ１１及び傾斜面１３の滑動、滑らかに且つ衝撃なく動くことができるためである。それらは、容器密閉システム１の操作に必要である。熱可塑性樹脂が、様々な部品にダメージを与えることなくこのようなタイプの動きを可能にする材料の一例である。他の材料の使用は、さらに想定され、本発明の範囲内にあると考えられる。
【００２８】
様々な修正や変更が本発明の容器密閉システムにおいてなされることは、明細書から考えたり本明細書に開示された発明を実行することから、当業者には明らかである。修正の一例は、上述した容器密閉の利点を有効にし続けるような方法でスカート４や外周リム８や開口７の断面の形状の変化であろう。さらに、図に示した発明の実施形態は蓋の上に配置された４つのリム係合部材を含むが、リム係合部材の異なった数は、利用され且つ本発明の範囲内にあることが考慮される。同様に、外周リムの上に配置されたリブの数が変化する。
【００２９】
したがって、広い特徴にある発明は、明細書に記載された詳細な説明や図示した例に限定されない。請求項及びその均等物によって画定された精神及び範囲から逸脱しない範囲で行われることが意図されている。
【図面の簡単な説明】
【図１】  本発明の一つの好ましい実施形態の容器ボディ及び蓋の斜視図である。
【図２】  本発明の第２の好ましい実施形態の容器ボディの斜視図である。
【図３】  蓋の一つの実施形態の底面図である。
【図４】  図３において４−４線に沿って切り取られた蓋の断面図である。
【図５】  蓋の第２の実施形態の底面図である。
【図６】  図５において６−６線に沿って切り取られた蓋の断面図である。
【図１】
0004053770.tif 000002
【図２】
0004053770.tif 000003
【図３】
0004053770.tif 000004
【図４】
0004053770.tif 000005
【図５】
0004053770.tif 000006
【図６】
0004053770.tif 000007